(57)【要約】低エネルギー放射線量子及び高エネルギー放射線量子の組み合わされた検出のための放射線検出器が提示され、放射線検出器８は、多層構造を有し、多層構造は、高エネルギー放射線量子が後方シンチレータ層５によって吸収されることに応じてシンチレーションフォトンのバーストを放出するように構成される後方シンチレータ層５と、後方シンチレータ層５の後側に取り付けられる後方フォトセンサ層６であって、後方シンチレータ層５において生成されるシンチレーションフォトンを検出するように構成される後方フォトセンサ層６と、後方フォトセンサ層６と反対側の、後方シンチレータ層５の前方に配置される前方シンチレータ層３であって、低エネルギー放射線量子が前方シンチレータ層３によって吸収されることに応じてシンチレーションフォトンのバーストを放出するように構成される前方シンチレータ層３と、後方シンチレータ層５と反対側の、前方シンチレータ層３の前側に取り付けられる前方フォトセンサ層２であって、前方シンチレータ層３において生成されたシンチレーションフォトンを検出するように構成される前方フォトセンサ層２と、を有する。
2018537658.tif 000002
【特許請求の範囲】
【請求項１】
低エネルギー放射線量子及び高エネルギー放射線量子の組み合わされた検出のための放射線検出器であって、前記放射線検出器は多層構造を有し、
前記多層構造が、
高エネルギー放射線量子が後方シンチレータ層によって吸収されることに応じてシンチレーションフォトンのバーストを放出する後方シンチレータ層と、
後方シンチレータ層の後側に取り付けられた後方フォトセンサ層であって、前記後方シンチレータ層において生成されるシンチレーションフォトンを検出する後方フォトセンサ層と、
前記後方フォトセンサ層と反対側の、前記後方シンチレータ層の前方に配された前方シンチレータ層であって、前記低エネルギー放射線量子が前記前方シンチレータ層によって吸収されることに応じてシンチレーションフォトンのバーストを放出する前方シンチレータ層と、
前記後方シンチレータ層と反対側の、前記前方シンチレータ層の前側に取り付けられた前方フォトセンサ層であって、前記前方シンチレータ層において生成されるシンチレーションフォトンを検出する前方フォトセンサ層と、
を有し、前記高エネルギー放射線量子がガンマ線であり、前記低エネルギー放射線量子がＸ線である、放射線検出器。
【請求項２】
前記Ｘ線は、２０ｋｅＶ乃至１２０ｋｅＶのレンジのエネルギーを有し、前記ガンマ線は、１２０ｋｅＶ乃至２ＭｅＶのレンジのエネルギーを有する、請求項１に記載の放射線検出器。
【請求項３】
前記後方フォトセンサ層は、前記２次元の各次元において後方フォトセンサ層ピクセルピッチを有するピクセルの２次元アレイを有し、前記前方フォトセンサ層は、前記２次元の各次元において前方フォトセンサ層ピクセルピッチを有するピクセルの２次元アレイを有し、前記後方フォトセンサ層ピクセルピッチが、前記前方フォトセンサ層ピクセルピッチに等しくない、請求項１又は２に記載の放射線検出器。
【請求項４】
前記前方フォトセンサ層は、前記放射線検出器の照射側に配され、前記放射線検出器の照射側は、低エネルギー放射線量子及び／又は高エネルギー放射線量子を受け取るように構成される、請求項１乃至３のいずれか１項に記載の放射線検出器。
【請求項５】
前記後方シンチレータ層は、ヨウ化ナトリウム、ガドリニウムオキシオルトシリケート、ルテチウムガドリニウムオキシオルトシリケート、ルテチウムオキシオルトシリケート、ルテチウムイットリウムオキシオルトシリケート、ルテチウムオアイロシリケート、ビスマスゲルマネート、臭化ランタンのグループから選択される少なくとも１つの材料を含み、及び／又は、前記前方シンチレータ層は、ヨウ化セシウム、オキシ硫化ガドリニウム、タングステン酸カルシウム、及びタングステン酸カドミウムのグループから選択される少なくとも１つの材料を含む、請求項１乃至４のいずれか１項に記載の放射線検出器。
【請求項６】
前記後方シンチレータ層及び前記前方シンチレータ層が同一材料を含む、請求項１乃至４のいずれか１項に記載の放射線検出器。
【請求項７】
前記後方シンチレータ層及び／又は前記前方シンチレータ層が、モノリシックシンチレータを有する、請求項１乃至６のいずれか１項に記載の放射線検出器。
【請求項８】
前記後方シンチレータ層及び／又は前記前方シンチレータ層が、ピクセル化されたシンチレータを有する、請求項１乃至６のいずれか１項に記載の放射線検出器。
【請求項９】
前記後方シンチレータ層と前記前方シンチレータ層との間に配される光学デカップリング層を更に有する、請求項１乃至９のいずれか１項に記載の放射線検出器。
【請求項１０】
前記光学デカップリング層が、前記高エネルギー放射線量子に対し透明である、請求項９に記載の放射線検出器。
【請求項１１】
前記光学デカップリング層が、前記後方シンチレータ層又は前記前方シンチレータ層と一体的に形成されている、請求項９又は１０に記載の放射線検出器。
【請求項１２】
前記前方フォトセンサ層及び／又は前記後方フォトセンサ層がフォイル基板を有する、請求項１乃至１１に記載の放射線検出器。
【請求項１３】
前記後方フォトセンサ層が、光電子増倍管、アバランシェフォトダイオード又はシリコン光電子増倍管を有し、及び／又は前記前方フォトセンサ層が、薄膜トランジスタ検出器、ＣＭＯＳ能動ピクセルセンサ又はシリコン光電子増倍管を有する、請求項１乃至１２に記載の放射線検出器。
【請求項１４】
前記後方フォトセンサ層が、光ガイド層を介して前記後方シンチレータ層の後側に取り付けられ、及び／又は、前記前方フォトセンサ層が、光ガイド層を介して前記前方シンチレータ層の前側に取り付けられる、請求項１乃至１３のいずれか１項に記載の放射線検出器。
【請求項１５】
前記放射線検出器は、低エネルギー放射線量子及び高エネルギー放射線量子をコリメートするコリメータ層を更に有し、前記コリメータ層は、前記前方シンチレータ層と反対側の、前記前方フォトセンサ層の前に配置される、請求項１乃至１４のいずれか１項に記載の放射線検出器。
【請求項１６】
前記コリメータ層が、相互に直交する方向に延在するアパーチャの２次元アレイを有する、請求項１５に記載の放射線検出器。
【請求項１７】
Ｘ線源と、
請求項１乃至１６のいずれか１項に記載の放射線検出器と、
を有するイメージングシステム。
【請求項１８】
記放射線検出器は、前記前方フォトセンサ層がＸ線源と前記前方シンチレータ層との間にあるように構成される、請求項１７に記載のイメージングシステム。
【発明の詳細な説明】
【技術分野】
【０００１】
本発明は、低エネルギー放射線量子及び高エネルギー放射線量子の組み合わされた検出のための放射線検出器の分野に関する。本発明は、Ｘ線イメージングシステム及び臨床スタディ又は研究スタディのためのハイブリッドＸ線／核イメージングシステムのような医療イメージングシステムに特定の用途を見出す。このようなシステムの例は、とりわけ、スペクトルＸ線コンピュータトモグラフィスキャナ、介入Ｘ線及びシンチグラフィイメージングシステム、ハイブリッドシングルフォトンエミッションコンピュータトモグラフィ／Ｘ線（ＳＰＥＣＴ／Ｘ線）スキャナ、ハイブリッドシングルフォトンエミッションコンピュータトモグラフィ／Ｘ線コンピュータトモグラフィ（ＳＰＥＣＴ／ＣＴ）スキャナ、ハイブリッドシングルフォトンエミッションコンピュータトモグラフィ／Ｘ線コーンビームコンピュータトモグラフィ（ＳＰＥＣＴ／ＣＢＣＴ）スキャナ、及びハイブリッドポジトロンエミッショントモグラフィ／Ｘ線コンピュータトモグラフィ（ＰＥＴ／ＣＴ）スキャナを含む。
【背景技術】
【０００２】
複数の異なるエネルギーの放射線量子を検出することができるイメージングシステムは、一般に、イメージング被検体の解剖学的情報及び機能情報を取得するために使用される。例えば、ＳＰＥＣＴは、器官及び細胞の機能情報及び代謝情報に基づく疾患プロセスの評価を可能にする。Ｘ線コンピュータトモグラフィをＳＰＥＣＴに組み込むことによって、解剖学的情報は、機能情報及び代謝情報と組み合わせられることができる。ＳＰＥＣＴ／ＣＴスキャナは、腫瘍学において価値があることが分かっており、近年、画像ガイドされる治療における新規用途のために注目されている。
【発明の概要】
【発明が解決しようとする課題】
【０００３】
Ｘ線及びガンマ光線の組み合わされた検出のための放射線検出器は、米国特許第6448559B1号公報に記述されている。検出器は、ある層の後ろに別の層が配置される複数の層をもつ多層構造を有する。検出器は、Ｘ線を検出するための前方シンチレータ層と、前方シンチレータ層の後ろに配置され、ガンマ線を検出する後方シンチレータ層とを有する。多層構造は更に、前方及び後方シンチレータ層において生成されるシンチレーション光子を検出するように、前方シンチレータ層と反対側の、後方シンチレータ層の後側に配置されるフォトセンサ層を有する。Ｘ線は、それらの比較的低いエネルギーのため、Ｘ線源と向き合って配置される前方シンチレータ層によって一般に吸収される。
【０００４】
前方シンチレータ層におけるＸ線の吸収によって生成されるシンチレーション光は、フォトセンサによって検出される前に、後方シンチレータ層を通過する。こうして、前方シンチレータ層から発するシンチレーション光は、大きい領域にわたって拡散され、それにより、例えば変調伝達関数（ＭＴＦ）の減少によって、Ｘ線ＣＴ画像の空間解像度を低減させる。
【０００５】
欧州特許出願公開第2180342A1号公報は、低エネルギーレンジのＸ線を吸収し光を放出するシンチレータ層、及び高エネルギーレンジのＸ線を吸収し光を放出するシンチレータ層が互いに接触するようにされたＸ線ラインセンサを開示している。
【０００６】
米国特許出願公開第2008/011960A1号公報は、対象のＸ線画像を取得するためのＸ線イメージング装置を開示している。さまざまな２パネルＸ線イメージング装置構成において、前パネル及び後パネルは、基板、信号検知素子及び読出し装置のアレイ、及び不活化層を有する。前パネル及び後パネルは、物体を通過するＸ線に応答して光を生成するシンチレーション蛍光体層を有し、光は、信号検出素子を照射してＸ線画像を表す信号を提供する。
【０００７】
米国特許出願第2002/070365号公報は、選択された組織をイメージングするためにシンチレーションスクリーン及び電荷結合デバイス（ＣＣＤ）が使用される身体組織の分光イメージングのシステムを開示している。Ｘ線源は、被検体の身体の領域を通過するＸ線を生成し、それによりシンチレーションスクリーンに到達するＸ線画像を形成する。
【０００８】
米国特許出願第2013/126743号公報は、シンチレータ層、第１の光電変換層、第２の光電変換層、及び１枚のボード又は２枚のボードを有する放射線検出器を開示している。第１の光電変換層は、少なくとも第１の波長の光を吸収し、光を電荷に変換する。第２の光電変換層は、第２の波長の光を、第１の波長の光より多く吸収し、光を電荷に変換する。
【０００９】
多層構造を有する放射線検出器によって取得される低エネルギー放射線画像の空間分解能を改善することが有利であろう。
【課題を解決するための手段】
【００１０】
この問題により良く対処するために、本発明の第１の見地において、低エネルギー放射線量子と高エネルギー放射線量子の組み合わされた検出のための放射線検出器であって、放射線検出器は多層構造を有し、多層構造が、高エネルギー放射線量子が後方シンチレータ層によって吸収されることに応じて、シンチレーション光子のバーストを放出するように構成された後方シンチレータ層と、後方シンチレータ層の後側に取り付けられた後方フォトセンサ層であって、後方シンチレータ層において生成されたシンチレーション光子を検出するように構成された後方フォトセンサ層と、後方フォトセンサ層と反対側の、後方シンチレータ層の前側に配置される前方シンチレータ層であって、低エネルギー放射量子が前方シンチレータ層によって吸収されることに応じて、シンチレーション光子のバーストを放出するように構成された前方シンチレータ層と、後方シンチレータ層と反対側の、前方シンチレータ層の前側に取り付けられる前方フォトセンサ層であって、前方シンチレータ層において生成されるシンチレーション光子を検出するように構成される前方フォトセンサ層と、を有する、放射線検出器が提示される。
【００１１】
本発明の別の見地によれば、イメージングシステムであって、Ｘ線源と、低エネルギー放射線量子及び高エネルギー放射線量子の組み合わされた検出のための放射線検出器とを有し、放射線検出器が多層構造を有し、多層構造が、高エネルギー放射線量子が後方シンチレータ層によって吸収されることに応じてシンチレーション光子のバーストを放出するように構成された後方シンチレータ層と、後方シンチレータ層の後側に取り付けられる後方フォトセンサ層であって、後方シンチレータ層において生成されるシンチレーション光子を検出するように構成される後方フォトセンサ層と、後方フォトセンサ層と反対側の、後方シンチレータ層の前側に配置される前方シンチレータ層と、低エネルギー放射線量子が前方シンチレータ層によって吸収されことに応じて、シンチレーション光子のバーストを放出するように構成される前方シンチレータ層と、後方シンチレータ層と反対側の、前方シンチレータ層の前側に取り付けられる前方フォトセンサ層であって、前方シンチレータ層において生成されるシンチレーション光子を検出するように構成される前方フォトセンサ層と、を有する、イメージングシステムが提示される。
【００１２】
本発明によれば、放射線検出器は多層構造を有し、多層構造の複数の層、すなわち、前方フォトセンサ層、前方シンチレータ層、後方シンチレータ層及び後方フォトセンサ層は、好適には、入射放射線の方向において或る層の後ろに別の層が配置される。入射放射線は、低エネルギー放射線量子及び高エネルギー放射線量子を含むことができ、低エネルギー放射線量子は、高エネルギー放射線量子より低いエネルギーを有する。例えば、入射放射線は、低エネルギーＸ線及び高エネルギーＸ線を有することができ、低エネルギーＸ線は、高エネルギーＸ線より低いエネルギーを有する。本発明の放射線検出器によって検出可能な入射放射線の別の例は、Ｘ線及びガンマ光線を含み、Ｘ線は、ガンマ光線より低いエネルギーを有する。この後者の例において、Ｘ線量子は、２０ｋｅＶ乃至１２０ｋｅＶのレンジのエネルギーを有することができる、ガンマ光線量子は、１２０ｋｅＶ乃至２ＭｅＶのレンジのエネルギーを有することができる。
【００１３】
入射放射線の低エネルギー放射線量子は、前方シンチレータ層において吸収され、入射放射線の高エネルギー放射線量子は、後方シンチレータ層において止められる前に、前方シンチレータ層を通過する。後方シンチレータ層において生成されるシンチレーション光子は、後方シンチレータ層の近くに配置される後方フォトセンサ層によって検出されることができる。前方シンチレータ層において、低エネルギー放射線量子によって生成されるシンチレーション光子の最大密度は、前方フォトセンサ層の感受性表面近くの前方シンチレータ層の周辺領域に生じる。本発明によれば、低エネルギー放射線量子によって生成されるシンチレーション光子は、それらが生成された位置の近くの位置において検出されることができ、こうして、例えばＭＴＦに関して、低エネルギー放射線の空間解像度を改善する。
【００１４】
本発明の好適な実施形態によれば、高エネルギー放射線量子はガンマ線であり、低エネルギー放射線量子はＸ線である。ガンマ線は、一般に、放射性同位元素からガンマ崩壊によって生成され、Ｘ線は、例えばＸ線管のようなＸ線源によって一般に生成され、Ｘ線管において、電子は、金属ターゲットと衝突し、それによってＸ線を生成する。一般に、特定の放射性同位元素のガンマ線より高いエネルギーを有するＸ線が生成されることができることに留意すべきである。しかしながら、本発明の上述した好適な実施形態のために、Ｘ線は、ガンマ線より低いエネルギーを有する。本発明の代替の好適な実施形態によれば、高エネルギー放射線量子は、高エネルギーＸ線であり、低エネルギー放射線量子は、低エネルギーＸ線であり、高エネルギーＸ線は、低エネルギーＸ線より高いエネルギーを有する。
【００１５】
本発明の好適な実施形態によれば、前方フォトセンサ層は、放射線検出器の照射側に配置され、放射線検出器の照射側は、低エネルギー放射線量子及び／又は高エネルギー放射線量子を受け取るように構成される。
【００１６】
本発明の別の好適な実施形態によれば、後方シンチレータ層は、ヨウ化ナトリウム（ＮＡＩ）、ガドリニウムオキシオルトシリケート（ＧＳＯ）、ルテチウムガドリニウムオキシオルトシリケート、ルテチウムオキシオルトシリケート（ＬＳＯ）、ルテチウムイットリウムオキシオルトシリケート（ＬＹＳＯ）、ルテチウムパイロシエイケート（ＬＰＳ）、ビスマスゲルマネート（ＢＧＯ）、臭化ランタン（ＬａＢｒ）を含み、及び／又は前面シンチレータ層が、ヨウ化セシウム（ＣｓＩ）、ガドリニウムオキシサルファイド（ＧＯＳ）、タングステン酸カルシウム又はタングステン酸カドミウム（ＣＷＯ）を含む。Ｘ線の検出のために前方シンチレータ層を最適化し、ガンマ線を検出するための後方シンチレータ層を最適化するように、前方シンチレータ層及び後方シンチレータ層に異なるシンチレータ材料を選択することが可能である。前方シンチレータ層の厚さは、後方シンチレータ層の厚さと比較して、前方シンチレータ層の主平面に対して垂直な方向に測定して、より薄い厚さを有することができる。企図される１つの構成において、前方シンチレータ層は、１００−７００ミクロンのレンジの厚さを有することができ、後方シンチレータは、８００−３００００ミクロン、又は１ｍｍ−３０ｍｍのレンジの厚さを有することができる。この配置を使用して、例えば、前方シンチレータ層により、Ｘ線、すなわち低エネルギー放射線量を検出し、及び後方シンチレータにより、ガンマ線、すなわち高エネルギー放射線量を検出することができ、高エネルギー放射線量子は、低エネルギー放射線量子よりもエネルギーが高い。この構成では、ガンマ線は、例えば、Ｔｃ−９９ｍからの１４０ｋｅＶ放射線量子、又はＩ−１２３（１５９ｋｅＶ）、Ｉ−１３１（３６５ｋｅＶ）、Ｙ−９０（広い制動放射、１ＭｅＶにピーク）、Ｈｏ−１６６（８１ｋｅＶ）又はＬｕ−１７７（２０８ｋｅＶ）からの放射線量子である。
【００１７】
本発明の別の好適な実施形態によれば、後方シンチレータ層及び前方シンチレータ層は、同じ材料、具体的には、ヨウ化ナトリウム（ＮａＩ）、ガドリニウムオキシオルトシリケート（ＧＳＯ）、ルテチウムガドリニウムオキシオルトシリケート、ルテチウムオキシオルトシリケート（ＬＳＯ）、ルテチウムイットリウムオキシオルトシリケート（ＬＹＳＯ）、ルテチウムオパイロシリケート（ＬＰＳ）、ゲルマン酸ビスマス（ＢＧＯ）、臭化ランタン（ＬａＢｒ）、ヨウ化セシウム（ＣｓＩ）、オキシ硫化ガドリニウム（ＧＯＳ）、タングステン酸カルシウム又はタングステン酸カドミウム（ＣＷＯ）のような同じ材料を含む。同一の材料によって後方シンチレータ層及び前方シンチレータ層を実現することは、放射線検出器の製造を容易にする。
【００１８】
好適には、後方シンチレータ層及び／又は前方シンチレータ層は、モノリシックシンチレータを有する。後方及び／又は前方シンチレータ層がモノリシックシンチレータを有し、好適にはモノリシックシンチレータで構成される場合、シンチレータ結晶を鋸具で切断してそれらを別個にマウントする必要がなくなり、製造コストを削減することができる。
【００１９】
本発明の代替の好適な実施形態によれば、後方シンチレータ層及び／又は前方シンチレータ層は、ピクセル化されたシンチレータを有する。ピクセル化されたシンチレータは、ピクセル化されたシンチレータの隣接するシンチレーション結晶から光学的に分離されることができる多数の別個のシンチレーション結晶を有することができ、それによってピクセル間の光の共有を低減する。
【００２０】
本発明の別の好適な実施形態によれば、放射線検出器は更に、後方シンチレータ層と前方シンチレータ層の間に配置される光学減結合層を有する。光学デカップリング層は、シンチレーション光子を反射するように構成される２つの対向する面を含むことができる。換言すれば、光学デカップリング層は、後方シンチレータ層において生成されたシンチレーション光子を後方シンチレータ層に反射し戻し、前方シンチレータ層において生成されたシンチレーション光子を前方シンチレータ層に反射し戻すように構成することができる。前方シンチレータ層と後方シンチレータ層の間に光学デカップリング層を配置することにより、前方シンチレータ層と後方シンチレータ層との間のシンチレーション光の共有が抑制されることができる。
【００２１】
光学デカップリング層は、特にガンマ線のような高エネルギー放射線量子にとって透明であるように構成され、それにより、後方シンチレータ層及び後方フォトセンサによる高エネルギー放射線量子、特にガンマ線の検出に影響を与えないようにすることが好ましい。こうして、光学デカップリング層は、スペクトル判別を改善するために使用されることができる。光学デカップリング層は、例えばアルミニウムなどの金属を含むことができるが、他の金属もこの目的に適している。光学デカップリング層は、１ｍｍ未満、好適には０．５ｍｍ未満の厚さを有する。
【００２２】
本発明の別の好適な実施形態によれば、光学デカップリング層は、後方シンチレータ層と一体的に形成され又は前方シンチレータ層と一体的に形成されている。シンチレータ層の１つと一体的に形成された光学デカップリング層を有することにより、製造努力が一層低減される。デカップリング層は、特に、前方シンチレータ層又は後方シンチレータ層と共に組み合わされた製造プロセスで成長させることができる。代替として、デカップリング層は、コーティングの形で後方シンチレータ層又は前方シンチレータ層に適用されることができる。別の代替例として、前方シンチレータ層と後方シンチレータ層との間に、特に金属を含むフォイルの形の別個のデカップリング層を配置することもできる。
【００２３】
本発明の別の好適な実施形態によれば、前方フォトセンサ層は、フォイル基板を含む。フォイル基板を有する前方フォトセンサ層を用いることにより、前方フォトセンサ層における放射線量子の低減される吸収により、放射線検出器の検出効率が向上されることができる。更に、前方フォトセンサ層は、曲がった形で実現されることができる。好適には、フォイル基板は、０．５ｍｍ未満の厚さ、具体的には０．１ｍｍ未満の厚さを有する。付加的に又は代替として、後方フォトセンサ層は、フォイル基板を含むことができる。好適には、前方フォトセンサ層及び／又は後方フォトセンサ層は、フォイル基板上に薄膜トランジスタ検出器を有することができる。
【００２４】
本発明の別の好適な実施形態によれば、後方フォトセンサ層は、光電子増倍管、アバランシェフォトダイオード、薄膜トランジスタ検出器又はシリコン光電子増倍管を有し、及び／又は前方フォトセンサ層は、薄膜トランジスタ検出器、ＣＭＯＳイメージセンサ又はシリコン光電子増倍管を有する。薄膜トランジスタ検出器が使用される場合、薄膜トランジスタ検出器が使用される場合、薄膜トランジスタ検出器は、好適には、ガラス又はプラスチックフォイル基板上にフォトダイオードを有する大面積の薄膜トランジスタバックプレーン２次元ピクセルアレイを含む。シリコン光電子増倍管が使用される場合、それらはアナログシリコン光電子増倍管又はデジタルシリコン光電子増倍管のいずれかとすることができる。デジタルシリコン光電子増倍管は、ガイガーモードアバランシェフォトダイオード（ＧＭ−ＡＰＤ）としても知られているシングルフォトンアバランシェダイオードのアレイを、読み出し回路と共に１つのチップに集積する。前方及び後方フォトセンサ層が、複数のフォトセンサ、特にフォトセンサのアレイを有することが好ましい。
【００２５】
好適には、後方フォトセンサは、後方シンチレータ層の後側に直接取り付けられ、前方フォトセンサ層は、前方シンチレータ層の前側に直接取り付けられる。本発明の代替の好適な実施形態によれば、後方フォトセンサ層は、光ガイド層を介して後方シンチレータ層の後側に取り付けられ、及び／又は、前方フォトセンサ層は、光ガイド層を介して前方シンチレータ層の前側に取り付けられる。光ガイドは、個々のフォトセンサのより大きい又はより小さい感受性領域上に、シンチレーション光が拡散されることを可能にすることができる。
【００２６】
本発明の別の好適な実施形態によれば、放射線検出器の後方フォトセンサ層のピクセルピッチは、前方フォトセンサ層のピクセルピッチに関して規定される。この実施形態において、後方フォトセンサ層は、２次元の各次元において後方フォトセンサ層ピクセルピッチを有するピクセルの２次元アレイを有し、前方フォトセンサ層は、２次元の各次元において前方フォトセンサ層ピクセルピッチを有するピクセルの２次元アレイを有する。更に、後方フォトセンサ層ピクセルピッチは、前方フォトセンサ層ピクセルピッチと等しくない。これは、異なる解像度の個々の画像が前方及び後方フォトセンサ層によって生成されることを可能にし、それにより、画像処理負荷を低減することができる。好適には、後方フォトセンサ層ピクセルピッチは、前方フォトセンサ層ピクセルピッチの整数（Ｎ）倍であり、整数倍の倍数は１ではない。そのようにすることで、後方フォトセンサ層と比較して前方フォトセンサ層によってより高い解像度の画像が提供されることができる。従って、後方フォトセンサ層からの画像処理が簡略化される。更に、整数倍は、共通コリメータが、後方フォトセンサ層によって提供される画像と前方フォトセンサ層によって提供される画像との両方に使用されることを可能にする。
【００２７】
本発明の別の好適な実施形態によれば、放射線検出器は、入射低エネルギー放射線量子及び高エネルギー放射線量子をコリメートするためのコリメータ層を更に有し、コリメータ層は、前方シンチレータ層と反対側の、前方フォトセンサ層の前方で配置される。コリメータ層は、低エネルギー放射線及び高エネルギー放射線散乱、特にＸ線及びガンマ線散乱を低減する。ガンマ線散乱を低減するために使用される場合、相互に直交する方向に延在する複数アパーチャの２次元アレイを有するコリメータ層が好ましい。このような構成は、Ｘ線散乱のみを低減するために通常使用される１次元アレイより好ましく、なぜなら、アパーチャの２次元アレイを規定する隔壁又は壁の２次元アレイが、相互に直交する方向の散乱を低減するからである。
【００２８】
本発明の別の好適な実施形態によれば、イメージングシステムは、臨床スタディ又は研究スタディのためのＸ線イメージングシステム又はハイブリッドＸ線／核イメージングシステムのような医用イメージングシステムである。特に好適なイメージングシステムは、スペクトルＸ線コンピュータトモグラフィスキャナ、介入Ｘ線及びシンチグラフィイメージングシステム、ハイブリッドシングルフォトンエミッションコンピュータトモグラフィ／Ｘ線（ＳＰＥＣＴ／Ｘ線）スキャナ、ハイブリッドシングルフォトンエミッションコンピュータトモグラフィ／Ｘ線コンピュータトモグラフィ（ＳＰＥＣＴ／ＣＴ）スキャナ、ハイブリッドシングルフォトンエミッションコンピュータトモグラフィ／Ｘ線コーンビームコンピュータトモグラフィ（ＳＰＥＣＴ／ＣＢＣＴ）スキャナ、又は、ハイブリッドポジトロンエミッショントモグラフィ／Ｘ線コンピュータトモグラフィ（ＰＥＴ／ＣＴ）スキャナ、である。
【００２９】
本発明の別の好適な実施形態によれば、放射線検出器は、前方フォトセンサ層がＸ線源と前方シンチレータ層との間にあるように構成され、それにより前方シンチレータ層の表面近くで吸収されるＸ線の検出を改善する。
【００３０】
本発明のこれらの及び他の見地は、以下に記述される実施形態から明らかになり、それらを参照して説明される。
【図面の簡単な説明】
【００３１】
【図１】本発明の一実施形態によるイメージングシステムの概略的な断面図。
【図２】図１のイメージングシステムの別の概略的な部分断面図。
【図３】本発明の第１の実施形態による放射線検出器の概略図。
【図４】本発明の第２の実施形態による放射線検出器の概略図。
【図５】本発明の第３の実施形態による放射線検出器の概略図。
【発明を実施するための形態】
【００３２】
図１及び図２は、ＳＰＥＣＴ／ＣＴ医用イメージングシステムの形のイメージングシステム１０の一実施形態を示す。イメージングシステム１０は、画像ガイドされる治療アプリケーションにおいて、特に介入腫瘍学（例えば選択的な内部放射線治療）において用いられることができる。イメージングシステム１０は、Ｘ線透過画像及びガンマ線エミッション画像の両方を生成するようにＸ線イメージング及びガンマ線イメージングを実施することができる。画像取得は、同時に又は逐次的に行われることができる。
【００３３】
イメージングシステム１０は、Ｘ線源９と、Ｘ線及びガンマ線の組み合わされた検出のための放射線検出器８を有する。検査領域が、Ｘ線源９と放射線検出器８との間に規定される。Ｘ線源９及び検出器８は、Ｘ線源９及び検出器８を支持するガントリ（図示せず）上に配置されることができる。ガントリは、任意に、さまざまな異なる方向において検査領域の透過及び／又はエミッション画像を取得するためにＸ線源９及び検出器８を同時に回転することができる。
【００３４】
患者１１は、患者支持体１２上に位置する。放射性微小球の形のヨウ素−１２３、テクネチウム９９又はイットリウム９０などの放射性トレーサが、患者１１に投与される。放射性トレーサは、ガンマ線を放出し、ガンマ線は、Ｘ線源９によって生成されるＸ線に加えて、放射線検出器８により検出される。
【００３５】
図３は、本発明による、Ｘ線の形の低エネルギー放射線量子及びガンマ線の形の高エネルギー放射線量子の組み合わされた検出のための放射線検出器８の第１の実施形態を表す。検出器８は、ある層の後ろに別の層が配置されている４つの層２、３、５、６を有する多層構造を有する。放射線検出器８は、Ｘ線源９と向き合う照射表面７を有する。こうして、動作中、Ｘ線及びガンマ線は、放射線検出器８の照射側に配置される照射表面７を介して放射線検出器に入射する。
【００３６】
前方フォトセンサ層２は、Ｘ線源９と向き合って配置される。前方フォトセンサ層２の光感受性表面は、前方シンチレータ層３に結合される。好適には、前方フォトセンサ層２は、前方シンチレータ層３に直接結合される。しかしながら、光ガイドは、前方フォトセンサ層２と前方シンチレータ層３の間に任意に配置されることができる。前方フォトセンサ層２は、薄膜トランジスタ検出器を有する。前方フォトセンサ層２は、前方シンチレータ層３において生成されるシンチレーションフォトンを検出するように構成される。
【００３７】
前方シンチレータ層３は、Ｘ線が前方シンチレータ層３によって吸収されることに応答して、シンチレーションフォトンのバーストを放出するように構成される。前方シンチレータ層は、好適にはＣｓＩシンチレータである。しかしながら、他のシンチレータ材料もまた代替として企図されることができる。前方シンチレータ層３は、モノリシックでありえ又はピクセル化されることができる。前方シンチレータ層３は、前方シンチレータ層３において生成されたシンチレーションフォトンを前方フォトセンサ層２が、検出することを可能にするように、前方フォトセンサ層２の光感受性側に取り付けられる。
【００３８】
前方フォトセンサ層２と反対側の、前方シンチレータ層３の後方には、後方シンチレータ層５が配置される。後方シンチレータ層５は、Ｘ線と比較して一般により高いエネルギーを有するガンマ線を止めるように最適化される。後方シンチレータ層５は、ガンマ線が後方シンチレータ層によって吸収されることに応じてシンチレーションフォトンのバーストを放出するように構成される。好適には、後方シンチレータ層５は、モノリシックガドリニウムオキシオルトシリケートシンチレータとして実現される。しかしながら、他のシンチレータ材料及びピクセル化されたシンチレータが、代替として、企図されることができる。
【００３９】
後方フォトセンサ層６が、後方シンチレータ層５の後側に取り付けられ、前記後方フォトセンサ層６は、後方シンチレータ層５において生成されるシンチレーションフォトンを検出するように構成される。後方フォトセンサ層６の光感受性表面は、後方シンチレータ層５に結合される。こうして、後方フォトセンサ層６及び前方フォトセンサ層２の光感受性表面は、互いに他方の表面を向く。好適には、後方フォトセンサ層６は、後方シンチレータ層５に直接結合される。しかしながら、光ガイドが、後方フォトセンサ層６と後方シンチレータ層５との間に任意に配置されることができる。後方フォトセンサ層６は、デジタルシリコン光電子増倍管のアレイを有する。後方フォトセンサ層６は、後方シンチレータ層５において生成されるシンチレーションフォトンを検出するように構成される。
【００４０】
上述した放射線検出器８の多層構造において、Ｘ線により生成されるシンチレーションフォトンの最も高い密度が、前方フォトセンサ層２の光感受性表面近くの前方シンチレータ層３の周辺領域に生じる。Ｘ線により生成されたシンチレーションフォトンは、それらが生成された位置により近い位置で検出されることができ、こうして例えばＭＴＦに関してＸ線画像の空間解像度を改善する。特定の多層構造の他の利点は、前方シンチレータ層３及び後方シンチレータ層５が、共通のシーリング構造によって封止されることができることである。これは、多くの適切なシンチレータ材料が吸湿性であり、従って湿気に対して封止される必要があるので、重要性が増している。
【００４１】
第１の実施形態による放射線検出器８において、後方フォトセンサ層６は、後方シンチレータ層５から発するシンチレーションフォトンだけでなく、前方シンチレータ層３において生成されるシンチレーションフォトンであって、後方シンチレータ層５を通って後方フォトセンサ層６の感受性表面に向かって伝播するシンチレーションフォトンをも検出する。反対に、前方フォトセンサ層２は、後方シンチレータ層５において生成されるシンチレーションフォトンであって、前方シンチレータ層３を通って前方フォトセンサ層２に向かうシンチレーションフォトンを検出する。これは、Ｘ線画像の一部によるガンマ線画像の相互汚染のリスクを示し、逆もまた同様である。相互汚染のリスクは、Ｘ線画像及びガンマ画像を逐次に取得するように前方フォトセンサ層２及び後方フォトセンサ層６を逐次に活性化にすることによって軽減されることができる。例えば、後方フォトセンサ層６は、Ｘ線曝射及び前方フォトセンサ層２によるＸ線画像の検出後にのみガンマ画像取得を開始することができる。
【００４２】
図４は、本発明の第２の実施形態による放射線検出器８を示す。第２の実施形態による検出器８は、或る層が別の層の後ろに配置される５つの層２、３、４、５、６を有する多層構造を有する。第１の実施形態の放射線検出器８と同様に、放射線検出器８の照射表面７は、Ｘ線源９と向き合う。こうして、動作中、Ｘ線及びガンマ線は、放射線検出器８の照射側に配置される照射表面７を介して放射線検出器８に入射する。
【００４３】
上述した複数の層、すなわち前方フォトセンサ層２、前方シンチレータ層３、後方シンチレータ層５、及び後方フォトセンサ層６に加えて、放射線検出器８は、前方シンチレーション層３と後方シンチレーション層５との間に配置される光学デカップリング層４を有する。前方シンチレータ層３と後方シンチレータ層５との間の光学デカップリング層４によって、シンチレーション光の共有が抑制されることができる。光学デカップリング層は、後方シンチレータ層５におけるガンマ線検出を大きく低減しないように、ガンマ線に対し透明である。
【００４４】
光学デカップリング層は、別個の光学反射体層、例えばVikuitiシートでありうる。代替として、光学デカップリング層は、例えばまず個々のシンチレータ層３、５の材料を成長させ、次いで、共通プロセスにおいて光学デカップリング層を成長させることによって、前方シンチレータ層３又は後方シンチレータ層５と一体的に形成されることができる。例えば、前方シンチレータ３は、セシウムヨウ素シンチレータであり、セシウムヨウ素シンチレータの上に、アルミニウムが、デカップリング層４として成長されることができる。
【００４５】
図５は、本発明の第３の実施形態による放射線検出器８を示す。第３の実施形態による検出器８は、或る層が別の層の後ろに配置される６つの層１、２、３、４、５、６を有する多層構造を有する。第１及び第２の実施形態の放射線検出器８と同様に、放射線検出器８の照射表面７は、Ｘ線源９と向き合う。
【００４６】
上述した層、すなわち前方フォトセンサ層２、前方シンチレータ層３、光学デカップリング層４、後方シンチレータ層５及び後方フォトセンサ層６に加えて、放射線検出器８は、コリメータ層１を有する。コリメータ層１は、放射線検出器８の照射側に配置され、こうしてＸ線源９と向き合い、それによりＸ線及びガンマ線散乱を低減する。
【００４７】
放射線検出器８の上述した実施形態は更に、特にスペクトルＣＴスキャナ又はスペクトルＣＢＣＴスキャナのようなＸ線スキャナの形のイメージングシステム１０における低エネルギーＸ線及び高エネルギーＸ線の組み合わされた検出のために使用されることができる。このようなイメージングシステム１０において本発明による放射線検出器８を使用する場合、前方フォトセンサ層２及び後方フォトセンサ層６の一方又は両方が、薄膜トランジスタ検出器を有し、特に、ガラス又はプラスチック基板上にフォトダイオードを有する大面積薄膜トランジスタバックプレーン２次元ピクセルアレイを有することが好ましい。
【００４８】
放射線検出器８の上述した実施形態はすべてが多層構造を有するとともに、高エネルギー放射線量子が後方シンチレータ層５により吸収されることに応じてシンチレーションフォトンのバーストを放出するように構成される後方シンチレータ層５を有する。更に、上述した実施形態は、後方シンチレータ層５の後側に取り付けられる後方フォトセンサ層６を有し、前記後方フォトセンサ層６は、後方シンチレータ層５において生成されるシンチレーションフォトンを検出するように構成される。前方シンチレータ層３は、後方フォトセンサ層６と反対側の、後方シンチレータ層５の前方に配置され、前記前方シンチレータ層３は、低エネルギー放射線量子が前方シンチレータ層３によって吸収されることに応じてシンチレーションフォトンのバーストを放出するように構成される。最後に、前方フォトセンサ層２は、後方シンチレータ層５と反対側の、前方シンチレータ層３の前側に取り付けられ、前記前方フォトセンサ層２は、前方シンチレータ層３において生成されるシンチレーションフォトンを検出するように構成される。
【００４９】
本発明が図面及び上述の記述において詳しく図示され説明されているが、このような図示及び説明は、制限的ではなく、例示的又は例示的なものであると考えられることができる。本発明は、開示される実施形態に制限されない。例えば、イメージングシステムが、ＰＥＴ／ＣＴ、ＳＰＥＣＴ／ＰＥＴ／ＣＴスキャナ、介入Ｘ線及びシンチグラフィイメージングシステム、ＳＰＥＣＴ／Ｘ線スキャナ、ＳＰＥＣＴ／ＣＢＣＴスキャナ、スペクトルＣＴスキャナ又はスペクトルＣＢＣＴスキャナである一実施形態において、本発明を動作させることが可能である。開示される実施形態に対する他の変更例は、図面、開示及び添付の請求項の検討から、請求項に記載の本発明を実施する際に当業者によって理解され、実現されることができる。請求項において、「有する、含む（comprising）」という語は、他の構成要素又はステップを除外せず、不定冠詞「a」又は「an」は、複数性を除外しない。特定の手段が相互に異なる従属請求項に列挙されているという単なる事実は、これらの手段の組み合わせが有利に使用されることができないことを示さない。請求項における任意の参照符号、請求項の範囲を制限するものとして解釈されるべきでない。
【図１】
2018537658.tif 000003
【図２】
2018537658.tif 000004
【図３】
2018537658.tif 000005
【図４】
2018537658.tif 000006
【図５】
2018537658.tif 000007
【国際調査報告】
2018537658.tif 000008
2018537658.tif 000009
2018537658.tif 000010